(57)【要約】【課題】  電子書籍を閲覧するにあたって、あたかも紙の書籍をめくるように直感的なページ送りあるいはページ戻りの操作がおこなえる電子表示装置を提供する。【解決手段】  電子表示装置１０は、操作部１４が、表示部１２の天地方向に対して平行な方向に沿う第１摺接面２１と、第１摺接面２１に隣接するとともに表示部１２の天地方向に対して直交する方向に沿い、かつ、互いに平行な第２摺接面２２および第３摺接面２３とを備え、操作部１４が天地方向に対して直交する線２６を中心とする線対称形状である。【選択図】    図１
2007018095.tif 000002
【特許請求の範囲】
【請求項１】
筐体と、前記筐体の表面に設けられた表示部と、前記筐体の表面における前記表示部の天地方向側部に設けられた操作部と、前記表示部に表示させる情報を格納する記憶部と、前記表示部に前記情報を表示させる制御部とを備え、
前記操作部が操作されることにより前記制御部が前記表示部の表示を切り換える電子表示装置であって、
前記操作部が、前記表示部の天地方向に対して平行な方向に沿う第１摺接面と、前記第１摺接面に隣接するとともに前記表示部の天地方向に対して直交する方向に沿い、かつ、互いに平行な第２摺接面および第３摺接面とを備え、
前記操作部が前記操作部の天地方向に対して直交する線を中心とする線対称形状であることを特徴とする電子表示装置。
【請求項２】
前記第２摺接面が前記表示部の天地方向上方側に配置された状態で、前記第３摺接面が操作されたとき、前記制御部が前記表示部に表示された前記情報の天地方向を反転させるとともに、
前記第２摺接面および前記第３摺接面の機能を入れ替えることを特徴とする請求項１に記載の電子表示装置。
【請求項３】
前記筐体にかかる天地方向を検出する天地検出部を備え、前記天地検出部からの検出信号により前記制御部が前記表示部に表示された前記情報の天地方向を反転させるとともに、前記第２摺接面および前記第３摺接面の機能を入れ替えることを特徴とする請求項１に記載の電子表示装置。
【請求項４】
前記操作部が、前記第２摺接面および前記第３摺接面に対して平行な第４摺接面を有する略Ｅ字状に形成され、
前記第２摺接面が前記表示部の天地方向上方側に配置された状態で、前記第４摺接面が操作されたとき、前記制御部が前記表示部に表示された前記情報の天地方向を反転させるとともに、
前記第２摺接面および前記第４摺接面の機能を入れ替えることを特徴とする請求項１に記載の電子表示装置。
【請求項５】
前記第１摺接面が操作されることにより前記表示部に表示する情報が切り換えられるとともに、
前記第２摺接面が操作されることにより前記表示部に表示中の情報のページが切り換えられることを特徴とする請求項１に記載の電子表示装置。
【請求項６】
前記操作部に対して特定操作を行ったときに特定機能を起動させる短縮機能を登録可能であることを特徴とする請求項１に記載の電子表示装置。
【請求項７】
前記第２摺接面が前記表示部の天地方向に沿った線に対して平行な線を中心とする円弧面であることを特徴とする請求項１に記載の電子表示装置。
【発明の詳細な説明】
【技術分野】
【０００１】
本発明は、筐体に表示部を備え、操作部を操作することにより表示部の表示を切り換える電子表示装置に関する。
【背景技術】
【０００２】
電子書籍等を閲覧するための電子表示装置は、略薄箱状に形成された筐体にＬＣＤ等の表示部が設けられているとともに、表示部に隣接して操作部が設けられている（例えば、非特許文献１）。
【非特許文献１】ハードディスクマルチプレーヤー、［online］、SONY、［平成１７年６月２３日検索］、インターネット<URL:http://www.sony.jp/products/Consumer/HMP/>
【０００３】
この電子表示装置は、例えば電子書籍の１ページ分あるいは見開き２ページ分の情報が表示部にイメージとして表示され、使用者が操作部を操作することにより、電子書籍のページ送りあるいはページ戻りが順次行われる。
【０００４】
電子書籍の情報は、筐体に内蔵された記憶部（RAM,HDD等）に格納されて読み取られるか、あるいは汎用の記憶媒体（メモリカード等）に格納され、筐体に設けられた挿入部に記憶媒体を挿入することにより読み取られる。
【発明の開示】
【発明が解決しようとする課題】
【０００５】
ところで、一般に紙の書籍は、読者により紙面が左右に擦るようにしてページがめくられる場合が多い。
従って、電子書籍を閲覧する電子表示装置においても、あたかも紙の書籍をめくるようなページ送りあるいはページ戻りを行える操作部が望ましい。
【０００６】
また、文庫本等を読むときは片手で読むことが多く、左右どちらの手でも、また途中から一方の手に持ち換えても違和感無く使えることが望ましい。
さらには、一般的には操作部の形状が単純なほど割り付けられる機能が多く、反対に操作部が複雑且つ、数が多くなると各操作機能が分散され、扱いにくいという問題が生じる為、操作形状と機能の割り付けのバランスが考慮されることが望ましい。
【０００７】
しかしながら、非特許文献１は、表示部の天地方向に沿ってタッチパネルが配置されているとともに、タッチパネルの上下にそれぞれ隣接配置された複数のタッチボタンにより表示切換が行われるため、両手操作が必要となると共に、前述した要望を充分に満たしていない。
【０００８】
また、一般に電子表示装置は、ボタンの押下などにより表示の切り替えを行うが、実際に自分が操作したという実感に乏しい。
つまり、自分が意図した方向・速度の通りに、表示の切り替えが行われたかどうか分からない。特に操作方向と切り替え方向との間に関連がない場合は特に分かりづらい。
したがって、使用者は自分が操作したという実感が湧かず、また、自分の操作が正しく反映されたかが分かりにくい。
【０００９】
本発明は、以上のような課題を解決するためになされたものであり、電子書籍を閲覧するにあたって、左右どちらの片手操作でも、また途中から一方の片手に持ち換えても、違和感無く同様の操作を行うことが出来ると共に、使用者が自分の指で操作した方向・速度で紙の書籍をめくるように表示の切り替えを行うことができ、あたかも自分の指にすいつくような直感的なページ送りあるいはページ戻りの操作が可能な電子表示装置を提供することを目的とする。
【課題を解決するための手段】
【００１０】
本発明の電子表示装置は、筐体と、前記筐体の表面に設けられた表示部と、前記筐体の表面における前記表示部の天地方向側部に設けられた操作部と、前記表示部に表示させる情報を格納する記憶部と、前記表示部に前記情報を表示させる制御部とを備え、前記操作部が操作されることにより前記制御部が前記表示部の表示を切り換える電子表示装置であって、前記操作部が、前記表示部の天地方向に対して平行な方向に沿う第１摺接面と、前記第１摺接面に隣接するとともに前記表示部の天地方向に対して直交する方向に沿い、かつ、互いに平行な第２摺接面および第３摺接面とを備え、前記操作部が前記操作部の天地方向に対して直交する線を中心とする線対称形状であることを特徴とする。
【００１１】
これにより、第２、３摺接面が、表示部の天地方向に対して直交する方向に沿うので、これらのうちのどちらかにページ送り、ページ戻りの機能を割り振れば、電子書籍を閲覧するにあたって、あたかも紙の書籍をめくるような直感的な操作性が得られる。
また、操作部が線対称形状であるため、筐体を反転させても操作部に同様な操作性が得られる。
【００１２】
また、本発明は、前記第２摺接面が前記表示部の天地方向上方側に配置された状態で、前記第３摺接面が操作されたとき、前記制御部が前記表示部に表示された前記情報の天地方向を反転させるとともに、前記第２摺接面および前記第３摺接面の機能を入れ替えることを特徴とする。
【００１３】
さらに、本発明は、前記筐体にかかる天地方向を検出する天地検出部を備え、前記天地検出部からの検出信号により前記制御部が前記表示部に表示された前記情報の天地方向を反転させるとともに、前記第２摺接面および前記第３摺接面の機能を入れ替えることを特徴とする。
【００１４】
これらのように、第３摺接面が操作されたとき、あるいは天地検出部により、制御部が表示部に表示された情報の天地方向を反転させるとともに、第２摺接面および第３摺接面の機能を入れ替えるため、左右どちらの片手操作でも、また途中から一方の片手に持ち換えても、違和感無く同様の操作を行うことが出来る。
【００１５】
そして、本発明は、前記操作部が、前記第２摺接面および前記第３摺接面に対して平行な第４摺接面を有する略Ｅ字状に形成され、前記第２摺接面が前記表示部の天地方向上方側に配置された状態で、前記第４摺接面が操作されたとき、前記制御部が前記表示部に表示された前記情報の天地方向を反転させるとともに、前記第２摺接面および前記第４摺接面の機能を入れ替えることを特徴とする。
【００１６】
操作部を、第２、第３の摺接面に対して平行な第４摺接面を有する略Ｅ字状に形成した。そして、第４摺接面を反転処理のトリガーとして機能し、反転後に第２摺接面として機能するようにした。
これにより、第４摺接面を操作したとき、表示部に表示された情報の天地方向を反転させるとともに、第２摺接面および前記第４摺接面の機能を入れ替えられ、反転前と同様な機能配置が得られる。
【００１７】
また、本発明は、前記第１摺接面が操作されることにより前記表示部に表示する情報が切り換えられるとともに、前記第２摺接面が操作されることにより前記表示部に表示中の情報のページが切り換えられることを特徴とする。
【００１８】
第２摺接面にページ送り、ページ戻りの機能を割り振ることにより、指の左右の動きに追随してあたかも紙の書籍をめくるような直感的な操作性が得られる。
また、第１摺接面に情報の切換え、すなわち他のコンテンツへの切換機能を割り振ることにより、指の上下の動きに追随して筐体を反転させた際に操作部に同様な操作性が得られる。これは、筐体を反転させた際にも同様な操作性が得られる。
【００１９】
また、本発明は、前記操作部に対して特定操作を行ったときに特定機能を起動させる短縮機能を登録可能であることを特徴とする。
【００２０】
これにより、数回の操作で実現する機能を連続した操作に短縮することによって、短縮操作をするだけで機能を容易に実現することができる。
【００２１】
また、本発明は、前記第２摺接面が前記表示部の天地方向に沿った線に対して平行な線を中心とする円弧面であることを特徴とする。
【００２２】
第２摺接面を円弧面とすることで、人間工学的に使用者の指の軌跡に沿わせられる。これにより、使用者は第２摺接面に指を円滑に移動させることができ、良好な操作性が得られる。
【発明の効果】
【００２３】
本発明によれば、電子書籍を閲覧するにあたって、左右どちらの片手操作でも、また途中から一方の片手に持ち換えても、違和感無く同様の操作を行うことが出来ると共に、使用者が自分の指で操作した方向・速度で紙の書籍をめくるように表示の切り替えを行うことができ、あたかも自分の指にすいつくような直感的なページ送りあるいはページ戻りの操作が可能となるという効果を有する。
【発明を実施するための最良の形態】
【００２４】
以下、本発明に係る実施形態を図面に基づいて詳細に説明する。
図１および図２に示すように、第１実施形態の電子表示装置１０は、筐体１１と、筐体１１の表面１１Ａに設けられた略長方形で縦長使いの表示部１２と、筐体１１の把持部１３に設けられた操作部１４と、表示部１２に表示させる情報を格納する記憶部１５と、表示部１２に情報を表示させる制御部１６とを備え、操作部１４が操作されることにより制御部１６が表示部１２の表示を切り換えるように構成されている。
【００２５】
図１に示すように、把持部１３は、筐体１１のうち、表示部１２の天地方向右側部（表示部１２の天地方向側部）に設けられた部位である。
把持部１３は、周面１３Ａが、表示部１２の天地方向に沿った線に対して平行な線Ｃを中心とする円弧面に形成されている。
把持部１３の周面１３Ａを円弧面に形成することで、把持部１３を使用者が把持し易い形状にできる。この把持部１３に操作部１４が設けられている。
【００２６】
操作部１４は、表示部１２の天地方向（長手方向）に対して平行な方向に沿う第１摺接面２１を備え、第１摺接面２１に隣接する第２〜第４の摺接面２２〜２４を一定間隔をおいて上（天）から下（地）に向けて順に備える。
【００２７】
第２〜第４の摺接面２２〜２４は、互いに平行に形成され、最上部に第２摺接面２２、中央に第３摺接面２３、最下部に第４摺接面２４が配置される。
この操作部１４は、第１摺接面２１および第２〜第４の摺接面２２〜２４で略Ｅ字状を呈し、操作部１４の天地方向に対して直交する線２６を中心として線対称形状に形成されている。
【００２８】
さらに、第２〜第４の摺接面２２〜２４は、表示部１２の天地方向に対して直交する方向に沿わせた状態に形成されている。
換言すれば、第２〜第４の摺接面２２〜２４は、表示部１２の天地方向に沿った線に対して平行な線Ｃを中心とする円弧面に形成されている。
よって、第２〜第４の摺接面２２〜２４を、把持部１３の周面１３Ａに沿わせることができる。
【００２９】
第２〜第４の摺接面２２〜２４を円弧面とすることで、人間工学的に使用者の指の軌跡に沿わせられる。これにより、使用者は第２〜第４の摺接面２２〜２４に指を円滑に移動させることができ、良好な操作性が得られる。
【００３０】
この操作部１４を備えた電子表示装置１０は、第１摺接面２１が操作されることにより表示部１２に表示する情報（たとえば、メニューに関する情報）が上下方向に切り換えられるとともに、第２摺接面２２が操作されることにより表示部１２に表示中の情報のページ（メニューで選択されたコンテンツ内容におけるページ）が左右方向に切り換えられるように構成されている。
また、第３摺接面２３が操作されることにより、切り換えられた情報の決定・取り消しがなされるように構成されている。
【００３１】
さらに、電子表示装置１０は、表示部１２の天地方向上方側に配置された状態で、持ち換えたときには、第２摺接面２２が下側になり第４摺接面２４が上側になる、この状態では表示部１２は天地逆表示の状態である。
ここで、持ち換えた方の手の指で第４摺接面２４の操作を行うと表示部１２は天地方向が反転されて表示されるとともに、第２摺接面２２および第４摺接面２４の機能を入れ替えるように構成されている。
【００３２】
具体的には、図３（Ａ）に示すように、右手１９で把持部１３を握った右手持ちの状態において、第２摺接面２２を右手１９で操作する。
その後、図３（Ｂ）に示すように、左手２０で把持部１３を握った左手持ちの状態において、第４摺接面２４の操作に基づいて、制御部１６は、表示部１２に表示された情報の天地方向を反転させるとともに、第２摺接面２２および第４摺接面２４の機能を入れ替える。
【００３３】
第４摺接面２４が第２摺接面２２の機能を備え、第２摺接面２２が第４摺接面２４の機能を備える。
また、第２摺接面２２が表示部１２の天地方向上方側に配置された状態で、第４摺接面２４が操作されたとき、制御部１６が表示部１２に表示された情報の天地方向を反転させるとともに、第２摺接面２２および第４摺接面２４の機能を入れ替えるように構成されている。
【００３４】
具体的には、図３（Ａ）に示すように、右手１９で把持部１３を握った右手持ちの状態において、第４摺接面２４を右手１９で操作する。
第４摺接面２４の操作に基づいて、制御部１６は、表示部１２に表示された情報の天地方向を反転させるとともに、第２摺接面２２および第４摺接面２４の機能を入れ替える。
第４摺接面２４が第２摺接面２２の機能を備え、第２摺接面２２が第４摺接面２４の機能を備える。
【００３５】
すなわち、操作部１４は、常に、最上部が第２摺接面２２、中央が第３摺接面２３、最下部が第４摺接面２４となる。
これにより、図３（Ｂ）に示すように、左手２０で把持部１３を握った左手持ちの状態において、電子表示装置１０を、図３（Ａ）に示す右手持ちの状態と同様に操作することができる。
【００３６】
また、筐体１１の反転に対応されて表示部１２の表示を自動的に反転させる天地検出部１７を備えている。
天地検出部１７は、第４摺接面２４に触れないで、筐体１１を反転させたときに、筐体１１の反転に対応さえて表示部１２の表示を自動的に反転させるものである。
この天地検出部１７として重力センサーや加重センサーが用いられる。
【００３７】
また、電子表示装置１０は、操作部１４に対して特定操作を行ったときに特定機能を起動させる短縮機能が操作登録部１８に予め割り付けられている。
操作登録部１８は、たとえば、第２摺接面２２から第１摺接面２１を経由し第４摺接面２４までを接した状態で連続的になぞると、特定の機能が動作する。
すなわち、短縮機能に対応する各操作は、操作登録部１８に予め登録され、その動作機能は予め記憶部１５に記憶されている。
【００３８】
例えば通常では、「しおり追加」機能を操作する場合、まず第３摺接面２３を操作することにより「メニュー」を表示させた後、第１摺接面２１を操作することにより「しおり追加」を選択し、次いで再び第３摺接面２３を操作することにより「決定」するという、３回の操作が必要となる。
これに対して、例えば第１摺接面２１を長手方向中央部（第３摺接面２３との連結部分近傍）から上方になぞり、引き続き第２摺接面２２をなぞるという、換言すれば略Ｌ字状になぞるという一連の動作をあらかじめ「しおり追加」機能として登録しておけば、１回の操作で「しおり追加」機能を操作できる。
【００３９】
操作部１４は、図４に示すように、把持部１３の周面１３Ａに略Ｅ字状の開口部３１が形成され、この開口部３１に周面１３Ａの裏側からタッチセンサー３２を設けたものである。
タッチセンサー３２は、枠体３３が開口部３１より一回り大きな略Ｅ字状に形成され、枠体３３に第１〜第８の静電容量センサー３４Ａ〜３４Ｈが設けられている。
なお、タッチセンサー３２としては、静電容量センサー以外にも、例えば感圧式センサ等を用いてもよい。
【００４０】
第１〜第８の静電容量センサー３４Ａ〜３４Ｈは、一例として、５ｍｍ角で厚さ１ｍｍの矩形状に形成されている。
第１〜第８の静電容量センサー３４Ａ〜３４Ｈは、制御チップ（図示せず）を介して制御部１６（図２参照）に接続されている。
【００４１】
第２、第３、第５、第６、第８の静電容量センサー３４Ｂ，３４Ｃ，３４Ｅ，３４Ｆ，３４Ｈが、第１摺接面２１に上（天）から下（地）に向けて順に配置されている。
第１静電容量センサー３４Ａが、第２摺接面２２に配置されている。第４静電容量センサー３４Ｄが、第３摺接面２３に配置されている。第７静電容量センサー３４Ｇが、第４摺接面２４に配置されている。
【００４２】
第１実施形態の電子表示装置１０の操作手順を図５に基づいて説明する。
図５（Ａ）において、電子表示装置１０の電源をオンにして、表示部１２にメニューを表示する。メニューとして、「書籍」、「音楽」、「写真」および「設定」が表示される。
操作部の第１摺接面２１を操作して、メニューのなかから「書籍」を選択する。「書籍」を選択した後、操作部１４の第３摺接面２３を操作して「書籍」を決定する。
【００４３】
図５（Ｂ）に示すように、表示部１２に「メモリーカードを入れてください」と表示される。電子表示装置１０にメモリーカードを挿入した後、操作部１４の第３摺接面２３を操作して「書籍」の情報を決定する。
図５（Ｃ）に示すように、表示部１２に複数の「作品名」が表示される。操作部１４の第１摺接面２１を操作して複数の「作品名」のなかから、所望の「作品名」を選択する。操作部の第３摺接面２３を操作して、選択した「作品名」を決定する。
【００４４】
図５（Ｄ）に示すように、表示部１２に、作品名が表示されるとともに、「読む」、「目次」、「書誌」および「しおり」が表示される。
操作部１４の第１摺接面２１を操作して、「読む」、「目次」、「書誌」および「しおり」のなかから、「読む」を選択する。操作部の第３摺接面２３を操作して、選択した「読む」を決定する。
図５（Ｅ）に示すように、表示部１２に作品の内容が表示される。
【００４５】
ここで、「読む」を決定する代わりに「目次」を決定すると、図５（Ｆ）に示すように、表示部１２に目次として、「第１章」、「第２章」、「第３章」、「終章」および「解説」が表示される。
操作部１４の第１摺接面２１を操作して、「第１章」、「第２章」、「第３章」、「終章」および「解説」のなかから、「第２章」を選択する。操作部１４の第３摺接面２３を操作して、選択した「第２章」を決定することにより、図５（Ｇ）に示すように、表示部に第２章の内容が表示される。
【００４６】
また、「読む」を決定する代わりに「書誌」を決定すると、図５（Ｈ）に示すように、表示部１２に作品の書誌が表示される。
操作部１４の第３摺接面２３を操作して、選択した「書誌」を取消すことで、表示部１２に作品名の表示される図５（Ｄ）の状態に戻る。すなわち、表示部１２に、作品名が表示されるとともに、「読む」、「目次」、「書誌」および「しおり」が表示される。
【００４７】
さらに、「読む」を決定する代わりに「しおり」を決定すると、図５（Ｉ）に示すように、表示部１２にしおりとして、「しおり付け」および「一覧」が表示される。
操作部１４の第１摺接面２１を操作して、「しおり付け」および「一覧」のなかから、「しおり付け」を選択する。操作部１４の第３摺接面２３を操作して、選択した「しおり付け」を決定することにより、表示部１２にしおり付けの内容が表示される。
【００４８】
なお、表示部１２に表示されたメニューは「書籍」、「音楽」、「写真」および「設定」としたが、設計事項によって当該選択項目や内容は変更されるものである。
また、上記実施の形態ではメモリーカードから書籍等の情報を収集する例を示したが、ハードディスクやその他記憶手段等、データの存在場所については、これらに限定されるものではない。
さらに、情報通信手段（図示せず）を備えることにより、外部から直接、書籍等の情報をダウンロードし、ダウンロードした情報を記憶手段に記憶しておくことも可能である。
【００４９】
次に、図５（Ｅ）で説明したように、表示部に作品の内容が表示された後、作品を読む場合の操作手順を図６〜図７示すフローチャートに基づいて説明する。
なお、図６に示すフローチャートは右手持ちの状態を示し、図７に示すフローチャートは左手持ちの状態を示す。
【００５０】
先ず、図６に示すフローチャートに基づいて右手持ちの状態を説明する。
ＳＴ１０；右手持ちの状態において、表示部１２に作品の内容が表示されている。この状態で操作部１４を操作する。
ＳＴ１１；制御部１６は、操作部１４の第２摺接面２２がオンかオフかを判断する。オンの場合、ＳＴ１２の処理が実施され、オフの場合、ＳＴ１３の判断が実施される。
【００５１】
ＳＴ１２；第２摺接面２２がオンの場合、ページ送りが実施され、表示部１２に表示されるページ（情報）が切り換えられる。ページ（情報）が切り換えられた後、ＳＴ１０に戻る。
なお、ページ送り処理については、図８のフローチャートに基づいて詳しく説明する。
【００５２】
ＳＴ１３；第２摺接面２２がオフの場合、第３摺接面２３がオンかオフかを判断する。オンの場合、ＳＴ１４の処理が実施され、オフの場合、ＳＴ１５の判断が実施される。
ＳＴ１４；第３摺接面２３がオンの場合、表示部１２に表示されたページ（情報）を決定・取消する処理が実施される。ページ（情報）が決定・取消された後、ＳＴ１０に戻る。
なお、決定・取消処理については、図９のフローチャートに基づいて詳しく説明する。
【００５３】
ＳＴ１５；第３摺接面２３がオフの場合、第１摺接面２１がオンかオフかを判断する。オンの場合、ＳＴ１６の処理が実施され、オフの場合、ＳＴ１７の判断が実施される。
ＳＴ１６；第１摺接面２１がオンの場合、他のコンテンツへの切換処理を実施する。他のコンテンツに切換えられた後、ＳＴ１０に戻る。
なお、コンテンツ切換処理については、図１０のフローチャートに基づいて詳しく説明する。
【００５４】
ＳＴ１７；第１摺接面２１がオフの場合、第４摺接面２４がオンかオフかを判断する。オンの場合、ＳＴ１８の処理が実施され、オフの場合、ＳＴ１０に戻る。
ＳＴ１８；第４摺接面２４がオンの場合、表示部１２に表示された情報の天地方向を反転させるとともに、第２摺接面２２および第４摺接面２４の機能を入れ替える反転処理を実施する。
なお、反転処理については、図１１のフローチャートに基づいて詳しく説明する。
【００５５】
次に、図７に示すフローチャートに基づいて左手持ちの状態を説明する。
ＳＴ１９；反転処理を実施した後、左手持ちに切り換えて操作部１４を操作する。
ＳＴ２０；操作部１４のうち、第２摺接面２２の機能を備えた第４摺接面２４がオンかオフかを判断する。オンの場合、ＳＴ２１の処理が実施され、オフの場合、ＳＴ２２の判断が実施される。
ＳＴ２１；第２摺接面２２の機能を備えた第４摺接面２４がオンの場合、ページ送りが実施され、表示部１２の表示が切り換えられる。
ＳＴ２２；第２摺接面２２の機能を備えた第４摺接面２４がオフの場合、第３摺接面２３がオンかオフかを判断する。オンの場合、ＳＴ２３の処理が実施され、オフの場合、ＳＴ２４の判断が実施される。
ＳＴ２３；第３摺接面２３がオンの場合、表示部１２に表示された情報を決定・取消する処理が実施される。
ＳＴ２４；第３摺接面２３がオフの場合、第１摺接面２１がオンかオフかを判断する。オンの場合、ＳＴ２５の処理が実施され、オフの場合、ＳＴ２６の判断が実施される。
ＳＴ２５；第１摺接面２１がオンの場合、他のコンテンツへの切換処理を実施する。
ＳＴ２６；第１摺接面２１がオフの場合、第４摺接面２４の機能を備えた第２摺接面２２がオンかオフかを判断する。オンの場合、ＳＴ２７の処理が実施され、オフの場合、ＳＴ１９に戻る。
ＳＴ２７；第４摺接面２４の機能を備えた第２摺接面２２がオンの場合、表示部１２に表示された情報の天地方向を反転させるとともに、第２摺接面２２および第４摺接面２４の機能を入れ替える反転処理を実施する。
【００５６】
次に、ＳＴ１２で説明したページ送り処理を図８のフローチャートおよび図９に基づいて説明する。
ＳＴ３０；第２摺接面２２において、接触位置からの摺接量がしきい値を超えたか否かを判断する。しきい値を超えた場合、ＳＴ３１の処理が実施され、しきい値を超えていない場合、ページ送り処理を実施しない。
【００５７】
ＳＴ３１；しきい値を超えた場合、摺接方向が表示部の天地方向に対して右側から左側方向に向かっているか否かを判断する。右側から左側方向に向かっている場合、ＳＴ３２の処理が実施され、右側から左側方向に向かっていない場合、ＳＴ３３の判断が実施される。
ＳＴ３２；摺接方向が右側から左側方向に向かっている場合、図９に示すように、表示部１２に表示中のページ４１を摺接方向に準じて右側から左側方向に矢印Ａの如く送る。
【００５８】
ＳＴ３３；摺接方向が右側から左側方向に向かっていない場合、摺接方向が左側から右側方向に向かっているか否かを判断する。左側から右側方向に向かっている場合、ＳＴ３４の処理が実施され、左側から右側方向に向かっていない場合、ページ送り処理を実施しない。
ＳＴ３４；摺接方向が左側から右側方向に向かっている場合、図９に示すように、表示部１２に表示中のページ４１を摺接方向に準じて左側から右側方向に矢印Ｂの如く送る。
【００５９】
第２摺接面２２を、表示部１２の天地方向に対して直交する方向に沿わせた。そして、第２摺接面２２において、指を右側か左側方向に摺接させることで、摺接方向に準じてページを右側から左側方向に送ることができる。
また、指を左側か右側方向に摺接させることで、摺接方向に準じてページを左側から右側方向に送ることができる。
これにより、あたかも紙の書籍をめくるような直感的な操作性が得られる。
【００６０】
次に、ＳＴ１４で説明した決定・取消処理を図１０のフローチャートに基づいて説明する。
ＳＴ４０；第３摺接面２３において、接触位置からの摺接量がしきい値を超えたか否かを判断する。しきい値を超えた場合、ＳＴ４１の処理が実施され、しきい値を超えていない場合、決定・取消処理を実施しない。
【００６１】
ＳＴ４１；しきい値を超えた場合、摺接方向が表示部の天地方向に対して右側から左側方向に向かっているか否かを判断する。右側から左側方向に向かっている場合、ＳＴ４２の処理が実施され、右側から左側方向に向かっていない場合、ＳＴ４３の判断が実施される。
ＳＴ４２；摺接方向が右側から左側方向に向かっている場合、決定処理を実施する。
【００６２】
ＳＴ４３；摺接方向が右側から左側方向に向かっていない場合、摺接方向が左側から右側方向に向かっているか否かを判断する。左側から右側方向に向かっている場合、ＳＴ４４の処理が実施され、左側から右側方向に向かっていない場合、決定・取消処理を実施しない。
ＳＴ４４；摺接方向が左側から右側方向に向かっている場合、取消処理を実施する。
【００６３】
次に、ＳＴ１６で説明したコンテンツ切換処理を図１１のフローチャートおよび図９に基づいて説明する。
ＳＴ５０；第１摺接面２１において、接触位置からの摺接量がしきい値を超えたか否かを判断する。しきい値を超えた場合、ＳＴ５１の処理が実施され、しきい値を超えていない場合、コンテンツ切換処理を実施しない。
【００６４】
ＳＴ５１；しきい値を超えた場合、摺接方向が表示部の天地方向に対して上から下方向に向かっているか否かを判断する。上から下方向に向かっている場合、ＳＴ５２の処理が実施され、上から下方向に向かっていない場合、ＳＴ５３の判断が実施される。
ＳＴ５２；摺接方向が上から下方向に向かっている場合、図９に示すように、表示部１２に表示中のコンテンツ４２から第１コンテンツ４３に矢印Ｃの如く切り換える。
【００６５】
ＳＴ５３；摺接方向が上から下方向に向かっていない場合、摺接方向が下から上方向に向かっているか否かを判断する。下から上方向に向かっている場合、ＳＴ５４の処理が実施され、上から下方向に向かっていない場合、コンテンツ切換処理を実施しない。
ＳＴ５４；摺接方向が下から上方向に向かっている場合、図９に示すように、表示部１２に表示中のコンテンツ４２から第２コンテンツ４４に矢印Ｄの如く切り換える。
【００６６】
第１摺接面２１に他のコンテンツへの切換機能を割り振ることで、筐体１１を反転させた際に操作部１４に同様な操作性が得られる。
【００６７】
次に、ＳＴ１８で説明した反転処理を図１２のフローチャートに基づいて説明する。
ＳＴ６１；表示部の天地を反転する。
ＳＴ６２；表示部の天地を反転する処理と同時に、第２摺接面２２および第４摺接面２４の機能を入れ替える。
【００６８】
すなわち、第４摺接面２４が第２摺接面２２の機能を備え、第２摺接面２２が第４摺接面２４の機能を備える。
加えて、操作部１４が線対称形状であるため、筐体１１を反転させても操作部１４に同様な操作性が得られる。
【００６９】
次に、第２〜第３実施形態を図１３〜図１６に基づいて説明する。第２〜第３実施形態の電子表示装置において、第１実施形態の電子表示装置１０と同一・類似部材については同一符号を付して説明を省略する。
【００７０】
第２実施形態
図１３に示すように、第２実施形態の電子表示装置５０は、タッチセンサー５１の枠体５２を矩形状に形成したもので、その他の構成は第１実施形態の電子表示装置１０と同様である。
第２実施形態の電子表示装置５０によれば、タッチセンサー５１の枠体５２を矩形状にすることで、枠体５２の形成が一層簡単になる。
加えて、第２実施形態の電子表示装置５０によれば、第２実施形態の電子表示装置５０と同様の効果が得られる。
【００７１】
第３実施形態
図１４〜図１５に示すように、第３実施形態の電子表示装置６０は、把持部１３の周面１３Ａに第１〜第４の開口部６１〜６４をそれぞれ個別に、隣接させ、タッチセンサーを第１〜第４のタッチセンサー６５〜６８にそれぞれ個別に形成したもので、その他の構成は第１実施形態の電子表示装置１０と同様である。
【００７２】
第６実施形態の電子表示装置６０によれば、第１〜第４の開口部６１〜６４をそれぞれ個別に形成することで把持部１３の剛性をより一層確実に確保できる。
さらに、第３実施形態の電子表示装置６０によれば、第１〜第４のタッチセンサー６５〜６８をそれぞれ個別に形成することで、第１〜第４のタッチセンサー６５〜６８の形状を簡素な形状（略矩形状の形状）にできタッチセンサー形成が一層簡単になる。
加えて、第３実施形態の電子表示装置６０によれば、第１実施形態の電子表示装置１０と同様の効果が得られる。
【００７３】
第３実施形態の変形例１
図１６（Ａ）に示すように、第３実施形態の変形例１の電子表示装置７０は、第１〜第３の摺動面７１〜７３で略コ字状に形成し、第１摺動面７１の上方に第１天地反転ボタン７４を備え、第３摺動面７３の下方に第２天地反転ボタン７５を備えたもので、その他の構成は第３実施形態の電子表示装置６０と同様である。
【００７４】
第１摺動面７１は、選択処理やコンテンツ切換処理を実施する操作センサーである。第２摺動面７２は、ページ送り処理を実施する操作センサーである。第３摺動面７３は、決定・取消処理を実施する操作センサーである。
第１、第２の天地反転ボタン７４，７５は、天地を反転するためのボタンである。
第３実施形態の変形例１の電子表示装置７０によれば、第３実施形態の電子表示装置６０と同様の効果が得られる。
【００７５】
第３実施形態の変形例２
図１６（Ｂ）に示すように、第３実施形態の変形例２の電子表示装置８０は、第１〜第４の摺動面８１〜８４を個別に有し、第２、第４の摺動面８２，８４を第３摺動面８３より長く形成し、第２、第４の摺動面８２，８４間に第１摺動面８１を形成することで、略コ字状に形成したもので、その他の構成は第３実施形態の電子表示装置６０と同様である。
【００７６】
第３実施形態の変形例２の電子表示装置８０によれば、第３実施形態の電子表示装置６０と同様の効果が得られる。
【００７７】
なお、前記実施形態で例示した操作部１４の形状などは一例であり、形状や寸法は適宜変更が可能である。
【００７８】
例えば、前述した各実施形態では、略長方形で縦長使いの表示部における天地が逆になるように筐体を反転させる際の作用を説明したが、本発明は略長方形で縦長使いの表示部が横長使いとなるように筐体を９０度回動させる際にも適用可能である。
この場合、表示部が縦長使いのときには表示部の長手方向に沿う第１摺接面も縦長使いとなっているが、表示部が横長使いとなるように筐体を９０度回動させた際には第１摺接面が横長使いとなり、これに伴い第２摺接面〜第４摺接面が縦長使いとなる。
従って、表示部が縦長使いの状態から横長使いとなるように筐体を９０度回動させた際には、第１摺接面の機能と第２摺接面〜第４摺接面の機能とを入れ替えればよい。
【００７９】
また、前述した各実施形態では、コンテンツとして書籍、音楽、写真等を例示したが、本発明におけるコンテンツとしては動画、絵画、音声、Ｗｅｂ閲覧、ゲームを含む各種アプリケーション等を採用できる。
従って、前述した各実施形態では、第１摺接面〜第４摺接面の機能としてコンテンツ切換や、ページ送り等を例示したが、本発明における第１摺接面〜第４摺接面の機能としては、これらに限定されず、アプリケーションに適した機能を適宜割り振ればよい。
【００８０】
そして、本発明は、前述した各種各様なアプリケーションを左右どちらの片手操作でも、また途中から一方の片手に持ち換えても、違和感無く同様の操作を行うことが出来ると共に、使用者が自分の指で操作した方向・速度で表示の切り替えを行うことができ、あたかも自分の指にすいつくような直感的な操作が可能なものである。
【産業上の利用可能性】
【００８１】
本発明は、筐体に表示部を備え、操作部を操作することにより表示部の表示を切り換える電子表示装置への適用に好適である。
【図面の簡単な説明】
【００８２】
【図１】本発明に係る電子表示装置の第１実施形態を示す斜視図である。
【図２】第１実施形態に係る電子表示装置を示すブロック図である。
【図３】（Ａ）は第１実施形態に係る電子表示装置を右手持ちの状態で使用した例を説明する図、（Ｂ）は第１実施形態に係る電子表示装置を左手持ちの状態で使用した例を説明する図である。
【図４】第１実施形態に係る電子表示装置の要部を示す分解斜視図である。
【図５】第１実施形態に係る電子表示装置の操作手順を説明する図である。
【図６】第１実施形態に係る電子表示装置の右手持ちの状態における操作手順を説明するフローチャートである。
【図７】第１実施形態に係る電子表示装置の左手持ちの状態における操作手順を説明するフローチャートである。
【図８】第１実施形態に係る電子表示装置のページ送り処理を説明するフローチャートである。
【図９】第１実施形態に係る電子表示装置のページ送り処理およびコンテンツ切換処理を説明する図である。
【図１０】第１実施形態に係る電子表示装置の決定・取消処理を説明するフローチャートである。
【図１１】第１実施形態に係る電子表示装置のコンテンツ切換処理を説明するフローチャートである。
【図１２】第１実施形態に係る電子表示装置の反転処理を説明するフローチャートである。
【図１３】本発明に係る電子表示装置の第２実施形態の要部を示す分解斜視図である。
【図１４】本発明に係る電子表示装置の第３実施形態を示す斜視図である。
【図１５】第３実施形態に係る電子表示装置の要部を示す分解斜視図である。
【図１６】（Ａ）は第３実施形態の変形例１に係る電子表示装置を示す平面図、（Ｂ）は第３実施形態の変形例２に係る電子表示装置を示す平面図である。
【符号の説明】
【００８３】
１０，５０，６０，７０，８０  電子表示装置
１１  筐体
１１Ａ  表面
１２  表示部
１４  操作部
１５  記憶部
１６  制御部
２１  第１摺接面
２２  第２摺接面
２３  第３摺接面
２４  第４摺接面
２６  天地方向に対して直交する線
Ｃ  天地方向に沿った線に対して平行な線
【図１】
2007018095.tif 000003
【図２】
2007018095.tif 000004
【図３】
2007018095.tif 000005
【図４】
2007018095.tif 000006
【図５】
2007018095.tif 000007
【図６】
2007018095.tif 000008
【図７】
2007018095.tif 000009
【図８】
2007018095.tif 000010
【図９】
2007018095.tif 000011
【図１０】
2007018095.tif 000012
【図１１】
2007018095.tif 000013
【図１２】
2007018095.tif 000014
【図１３】
2007018095.tif 000015
【図１４】
2007018095.tif 000016
【図１５】
2007018095.tif 000017
【図１６】
2007018095.tif 000018